(57)【要約】本発明は、通信事業者の契約者に関する契約情報に基づく家族、知人に関する家族・知人情報を少なくとも記憶する家族・知人情報データベースと、コンテンツの保有者の保有者情報が記憶されたコンテンツ保有者情報データベースと、所定のコンテンツのアクセス要求を行ったユーザを特定するアクセスユーザ認証部と、コンテンツ所有者情報データベースからアクセス要求されたコンテンツのコンテンツ保有者情報と特定されたユーザの家族・知人情報とに基づいて、ユーザのコンテンツへのアクセスの許否を判定するアクセス許否判定部とを有するコンテンツアクセス管理システムである。
2012105599.tif 000002
【特許請求の範囲】
【請求項１】
通信事業者の契約者に関する契約情報に基づく家族、知人に関する家族・知人情報を少なくとも記憶する家族・知人情報データベースと、
コンテンツの保有者の保有者情報が記憶されたコンテンツ保有者情報データベースと、
所定のコンテンツのアクセス要求を行ったユーザを特定するアクセスユーザ認証部と、
前記コンテンツ所有者情報データベースからアクセス要求されたコンテンツのコンテンツ保有者情報と前記特定されたユーザの家族・知人情報とに基づいて、前記ユーザのコンテンツへのアクセスの許否を判定するアクセス許否判定部と
を有するコンテンツアクセス管理システム。
【請求項２】
前記アクセス許否判定部は、コンテンツ保有者情報と前記特定されたユーザの家族・知人情報とに基づいて、前記アクセス要求されたコンテンツの保有者と前記特定されたユーザとの関係が予め定められた一定の関係にある場合、前記ユーザのコンテンツへのアクセスを許可する
請求項１に記載のコンテンツアクセス管理システム。
【請求項３】
前記一定の関係が、著作権法に基づく私的使用が許される範囲の関係である
請求項２に記載のコンテンツアクセス管理システム。
【請求項４】
前記アクセス許否判定部は、コンテンツへのアクセス制限を管理するアクセス管理ポリシを記憶し、前記家族・知人情報に基づく判定に加えて、前記特定されたユーザのコンテンツへのアクセスが前記アクセス管理ポリシを満たすものであるかを判定し、前記ユーザのコンテンツへのアクセスの許否を判定する
請求項１から請求項３のいずれかに記載のコンテンツアクセス管理システム。
【請求項５】
前記アクセス管理ポリシは、コンテンツの利用者数による制限、コンテンツの視聴許可年齢による年齢制限、コンテンツ提供事業者又はコンテンツ保有者によって設定される利用制限の少なくともひとつである
請求項４に記載のコンテンツアクセス管理システム。
【請求項６】
前記アクセス許否判定部により、前記所定のコンテンツへのアクセスが許可された場合、前記所定のコンテンツのアクセス鍵を発行するアクセス鍵発行部を有する
請求項１から請求項５のいずれかに記載のコンテンツアクセス管理システム。
【請求項７】
所定のコンテンツのアクセス要求に応答し、前記アクセス要求を行ったユーザのユーザ情報と、前記アクセス要求を行ったユーザの通信事業者の契約者に関する契約情報に基づく家族、知人に関する家族・知人情報とを取得し、前記ユーザ情報と前記ユーザの家族・知人情報とに基づいて、前記ユーザのコンテンツへのアクセスの許否を判定するアクセス許否判定部を有するコンテンツアクセス管理サーバ。
【請求項８】
前記アクセス許否判定部は、前記コンテンツ保有者情報と前記特定されたユーザの家族・知人情報とに基づいて、前記アクセス要求されたコンテンツの保有者と前記ユーザとの関係が予め定められた一定の関係にある場合、前記ユーザのコンテンツへのアクセスを許可する
請求項７に記載のコンテンツアクセス管理サーバ。
【請求項９】
前記一定の関係が、著作権法に基づく私的使用が許される範囲の関係である
請求項８に記載のコンテンツアクセス管理サーバ。
【請求項１０】
前記家族・知人情報に基づく判定に加えて、前記ユーザのコンテンツへのアクセスが、コンテンツへのアクセス制限を管理するアクセス管理ポリシを満たすものであるかを判定し、前記ユーザのコンテンツへのアクセスの許否を判定する
請求項７から請求項９のいずれかに記載のコンテンツアクセス管理サーバ。
【請求項１１】
前記アクセス管理ポリシは、コンテンツの利用者数による制限、コンテンツの視聴許可年齢による年齢制限、コンテンツ提供事業者又はコンテンツ保有者によって設定される利用制限の少なくともひとつである
請求項１０に記載のコンテンツアクセス管理サーバ。
【請求項１２】
前記アクセス許否判定部により、前記所定のコンテンツへのアクセスが許可された場合、前記所定のコンテンツのアクセス鍵を発行するアクセス鍵発行部を有する
請求項７から請求項１１のいずれかに記載のコンテンツアクセス管理サーバ。
【請求項１３】
所定のコンテンツのアクセス要求を行ったユーザを特定し、
コンテンツの保有者の保有者情報が記憶されたコンテンツ保有者情報データベースから、前記アクセス要求されたコンテンツのコンテンツ保有者情報を取得し、
通信事業者の契約者に関する契約情報に基づく家族、知人に関する家族・知人情報を少なくとも記憶する家族・知人情報データベースから、前記特定されたユーザの家族・知人情報を取得し、
前記取得したコンテンツ保有者情報と前記取得した家族・知人情報とに基づいて、前記ユーザのコンテンツへのアクセスの許否を判定する
コンテンツアクセス管理方法。
【請求項１４】
前記取得したコンテンツ保有者情報と前記取得した家族・知人情報とに基づいて、前記アクセス要求されたコンテンツの保有者と前記特定されたユーザとの関係が予め定められた一定の関係にある場合、前記ユーザのコンテンツへのアクセスを許可する
請求項１３に記載のコンテンツアクセス管理方法。
【請求項１５】
前記一定の関係が、著作権法に基づく私的使用が許される範囲の関係である
請求項１４に記載のコンテンツアクセス管理方法。
【請求項１６】
前記家族・知人情報に基づく判定に加えて、前記ユーザのコンテンツへのアクセスが、コンテンツへのアクセス制限を管理するアクセス管理ポリシを満たすものであるかを判定し、前記ユーザのコンテンツへのアクセスの許否を判定する
請求項１３から請求項１５のいずれかに記載のコンテンツアクセス管理方法。
【請求項１７】
前記アクセス管理ポリシは、コンテンツの利用者数による制限、コンテンツの視聴許可年齢による年齢制限、コンテンツ提供事業者又はコンテンツ保有者によって設定される利用制限の少なくともひとつである
請求項１６に記載のコンテンツアクセス管理方法。
【請求項１８】
前記所定のコンテンツへのアクセスが許可された場合、前記所定のコンテンツのアクセス鍵を発行する
請求項１３から請求項１７のいずれかに記載のコンテンツアクセス管理方法。
【請求項１９】
所定のコンテンツのアクセス要求に応答し、前記アクセス要求を行ったユーザのユーザ情報と、前記アクセス要求を行ったユーザの通信事業者の契約者に関する契約情報に基づく家族、知人に関する家族・知人情報とを取得し、前記ユーザ情報と前記ユーザの家族・知人情報とに基づいて、前記ユーザのコンテンツへのアクセスの許否を判定する判定処理を情報処理装置に実行させるプログラム。
【発明の詳細な説明】
【技術分野】
【０００１】
本発明は、コンテンツアクセス管理システム、コンテンツアクセス管理サーバ、コンテンツアクセス管理方法及びプログラムに関する。
【背景技術】
【０００２】
近年、ネットワークを通じて、動画や音楽といったコンテンツを購入して視聴することが可能となっているが、コンテンツを提供する事業者（以下、コンテンツ事業者と記載する）は、コンテンツが勝手に他のユーザに複製されることを回避するため、配布するコンテンツに対し、一般にＤＲＭ（Digital Rights Management）と呼ばれるコピープロテクトを施している場合が多い。【０００３】
しかし、他ユーザへの複製を回避するためにＤRMが施されたコンテンツの多くは、その性質から、端末間でのコンテンツの複製を制限したり、コンテンツの視聴可能な端末を制限したりする制約がかけられており、コンテンツを購入したユーザがそのコンテンツを家族や親しい友人と共有することは難しかった。【０００４】
このような状況に鑑みて、コンテンツ事業者の中にはＤＲＭを施さずにコンテンツを提供するコンテンツ事業者もあるが、コンテンツを正規に保有しているユーザと何ら関係のない他人に制限なしに流出することは、コンテンツの保護の観点より好ましくなく、著作権法などの違法となる可能性がある。【０００５】
一方で、著作権法第３０条は、「著作権の目的となっている著作物は、個人的に又は家庭内その他これに準ずる限られた範囲内において使用することを目的とするときは、次に掲げる場合を除き、その使用する者が複製することができる。」と定められており、個人的に又は家庭内その他これに準ずる限られた範囲内での使用、すなわち、私的使用ならばコンテンツの視聴や閲覧等は認められている。【０００６】
しかし、現在のインターネットを中心とするサービスにおいては、家族や親しい少数の友人を特定することは困難である。【０００７】
この課題に対し、特許文献１では、コンテンツを購入したユーザが管理するコンテンツ処理装置を中心とした解決策を提案している。【０００８】
特許文献１では、図１４にあるように、コンテンツにアクセスするユーザやその端末を管理するグループ管理サーバ３００と、コンテンツの管理を行う機能を有するユーザＡに紐付いているコンテンツ処理装置Ａ３１０と、コンテンツの管理を行う機能を有するユーザＢに紐付いているコンテンツ処理装置Ｂ３２０、ユーザＢが所有し、コンテンツの再生を行う再生装置Ｂ３２０とにより構成される。【０００９】
また、グループ管理サーバ３００は、ユーザ識別子とコンテンツ処理装置の識別子とを紐付けて管理するテーブル３０１と、ユーザ識別子とユーザが所有する再生端末の識別子を紐付けて管理するテーブル３０２と、ユーザ間の関係を管理するテーブル３０３とを持つ。【００１０】
まず、ユーザＢが自身で購入したコンテンツＢを再生する場合、再生装置Ｂ３３０は、コンテンツ処理装置Ｂ３２０を介して、グループ管理サーバ３００に接続を行う。【００１１】
グループ管理サーバ３００は、テーブル３０１およびテーブル３０２を利用して、コンテンツ処理装置Ｂ３２０及び再生装置Ｂ３３０がユーザＢに属するものであることを確認し、再生装置Ｂ３３０でのコンテンツＢの視聴を許可する。一方、ユーザＡが購入したコンテンツＡをユーザＢが視聴する場合、ユーザＢは再生装置Ｂ３３０をユーザＡのコンテンツ処理装置Ａ３１０に接続する。このとき、コンテンツ処理装置Ａ３１０はユーザＡにユーザＢに接続を許可するか確認し、許可が下りた場合、その情報をグループ管理サーバ３００に登録を行う。【００１２】
グループ管理サーバ３００は、テーブル３０３を更新し、ユーザＡとユーザＢとの関係を登録する。ユーザＢは、再生装置Ｂ３３０でのコンテンツＡの視聴要求を、コンテンツ処理装置Ａ３１０を通じて、グループ管理サーバ３００に発行する。グループ管理サーバ３００は、テーブル３０１、テーブル３０２、テーブル３０３を確認し、ユーザＢがユーザＡに認められた関係にあり、コンテンツＡの視聴が可能であると判断する。この結果に従い、ユーザＢは再生装置Ｂ３３０でコンテンツＡの視聴を行う。
【先行技術文献】
【特許文献】
【００１３】
【特許文献１】特開２００７−１０２４８４号公報
【発明の概要】
【発明が解決しようとする課題】
【００１４】
しかしながら、特許文献１の技術は、ユーザＡとユーザＢとの関係を確認する手段をもたないため、ユーザＡとユーザＢとの関係が著作権法でいうところの私的使用に該当する家族等の関係であるとは限らないとい課題があった。【００１５】
また、ユーザＡとユーザＢとの関係が家族等の関係にあったとしても、ユーザが所有するコンテンツ処理装置への再生装置の接続が必要であり、非常に煩雑な手続きを必要とした。【００１６】
そこで、本発明は上記課題に鑑みて発明されたものであって、その目的は、法律で認められる範囲でコンテンツのアクセスを許可できるコンテンツアクセス管理システム、コンテンツアクセス管理サーバ、コンテンツアクセス管理方法及びプログラムを提供することにある。
【課題を解決するための手段】
【００１７】
本発明は、通信事業者の契約者に関する契約情報に基づく家族、知人に関する家族・知人情報を少なくとも記憶する家族・知人情報データベースと、コンテンツの保有者の保有者情報が記憶されたコンテンツ保有者情報データベースと、所定のコンテンツのアクセス要求を行ったユーザを特定するアクセスユーザ認証部と、前記コンテンツ所有者情報データベースからアクセス要求されたコンテンツのコンテンツ保有者情報と前記特定されたユーザの家族・知人情報とに基づいて、前記ユーザのコンテンツへのアクセスの許否を判定するアクセス許否判定部とを有するコンテンツアクセス管理システムである。【００１８】
本発明は、所定のコンテンツのアクセス要求に応答し、前記アクセス要求を行ったユーザのユーザ情報と、前記アクセス要求を行ったユーザの通信事業者の契約者に関する契約情報に基づく家族、知人に関する家族・知人情報とを取得し、前記ユーザ情報と前記ユーザの家族・知人情報とに基づいて、前記ユーザのコンテンツへのアクセスの許否を判定するアクセス許否判定部を有するコンテンツアクセス管理サーバである。【００１９】
本発明は、所定のコンテンツのアクセス要求を行ったユーザを特定し、コンテンツの保有者の保有者情報が記憶されたコンテンツ保有者情報データベースから、前記アクセス要求されたコンテンツのコンテンツ保有者情報を取得し、通信事業者の契約者に関する契約情報に基づく家族、知人に関する家族・知人情報を少なくとも記憶する家族・知人情報データベースから、前記特定されたユーザの家族・知人情報を取得し、前記取得したコンテンツ保有者情報と前記取得した家族・知人情報とに基づいて、前記ユーザのコンテンツへのアクセスの許否を判定するコンテンツアクセス管理方法である。【００２０】
本発明は、所定のコンテンツのアクセス要求に応答し、前記アクセス要求を行ったユーザのユーザ情報と、前記アクセス要求を行ったユーザの通信事業者の契約者に関する契約情報に基づく家族、知人に関する家族・知人情報とを取得し、前記ユーザ情報と前記ユーザの家族・知人情報とに基づいて、前記ユーザのコンテンツへのアクセスの許否を判定する判定処理を情報処理装置に実行させるプログラムである。
【発明の効果】
【００２１】
本発明は、法律で認められる範囲でコンテンツのアクセスを許可できる。
【図面の簡単な説明】
【００２２】
【図１】図１は本発明の実施の形態におけるコンテンツアクセス管理システムのブロック図である。
【図２】図２は家族・知人情報データベース１の一例を示した図である。
【図３】図３はコンテンツ保有者情報データベース２の一例を示した図である。
【図４】図４は第１の実施の形態におけるコンテンツ共有システムの構成図である。
【図５】図５は第１の実施の形態のフローチャートである。
【図６】図６は第２の実施の形態におけるコンテンツ共有システムの構成図である。
【図７】図７は第２の実施の形態のフローチャートである。
【図８】図８は実施例１の構成図である。
【図９】図９はユーザがキャリア通信事業者と結んでいる契約情報を含む契約情報テーブルである。
【図１０】図１０はユーザが過去購入したコンテンツ情報を管理するコンテンツ購入情報テーブルである。
【図１１】図１１はコンテンツを提供する事業者が販売するコンテンツに対してアクセスポリシを管理するコンテンツアクセスポリシ管理テーブルである。
【図１２】図１２は実施例２の構成図である。
【図１３】図１３は実施例３の構成図である。
【図１４】図１４は関連する技術を説明するための図である。
【発明を実施するための形態】
【００２３】
本発明の実施の形態を説明する。
【００２４】
図１は本発明の実施の形態におけるコンテンツアクセス管理システムのブロック図である。
【００２５】
本発明の実施の形態におけるコンテンツアクセス管理システムは、家族・知人情報データベース１と、コンテンツ保有者情報データベース２と、アクセスユーザ認証部３と、アクセス許否判定部４とを備える。
【００２６】
家族・知人情報データベース１は、固定電話回線や携帯電話回線などの回線契約者の契約情報に基づく家族、知人に関する家族・知人情報を少なくとも記憶するデータベースである。近年、通信業者は、契約者の家族間や、親しい友人間の通信を無料にしたり割引いたりするサービスを行っている。このような無料・割引サービスを実施するために、各通信業者は、回線契約に伴い、無料・割引サービスを適用するユーザを特定するために、契約者の家族構成や友人などに関する家族・知人情報を契約情報の一部として保有している。家族・知人情報データベース１は、このような回線契約に基づく家族・知人情報が記憶されている。家族・知人情報は、その通信事業の利用者毎に、夫婦関係や親子関係を具体的に特定するような、契約者「本人」に対する「妻」や「子」など具体的な関係を示す情報だけでなく、その通信事業利用者を家族ごとや友人毎にグルーピングし、それらの関係を識別する情報であっても良い。
【００２７】
家族・知人情報データベース１の一例を図２に示す。図２の例は、ユーザ名と電話番号とそのユーザの家族情報とが関連付けられたデータベースである。例えば、ユーザＡの電話番号「０9０-XXXX-０００１」と、ユーザＢの電話番号「０9０-XXXX-０００２」と、ユーザＣの電話番号「０9０-XXXX-０００３」とは、同一の家族情報「ａ」と関連付けられており、ユーザＡとユーザＢとユーザＣとは家族であることを示している。
【００２８】
コンテンツ保有者情報データベース２は、コンテンツを誰が保有しているかのコンテンツ保有者情報を記憶している。尚、コンテンツの保有者とは、コンテンツを購入したコンテンツの所有者ばかりでなく、コンテンツを利用することができる権限を与えられている権限者も含む広い概念を意味する。
【００２９】
コンテンツ保有者情報データベース２の一例を図３に示す。図３では、保有者を識別するユーザ名と、保有するコンテンツとが関連付けられたデータベースである。例えば、ユーザＡとコンテンツＣ１及びコンテンツＣ２と関連付けられており、ユーザＡはコンテンツＣ１及びコンテンツＣ２を保有していることを示している。
【００３０】
アクセスユーザ認証部３は、所定のコンテンツのアクセス要求を行ったユーザを特定する。特定の方法としては、アクセス要求を行ったユーザの電話番号やユーザ識別情報などで特定する。
【００３１】
アクセス許否判定部４は、ユーザからのコンテンツへのアクセス要求を受け付け、また、その要求に対する回答をユーザに通知する。アクセス許否判定部４は、ユーザからのコンテンツへのアクセス要求を受け付けると、コンテンツへのアクセス要求したユーザの特定をアクセスユーザ認証部３に依頼する。そして、アクセスユーザ認証部３により特定されたユーザの家族・知人情報を、家族・知人情報データベース１から取得する。
【００３２】
また、アクセス許否判定部４は、コンテンツ所有者情報データベース２からアクセス要求されたコンテンツのコンテンツ保有者情報を取得する。
【００３３】
そして、アクセス許否判定部４は、ユーザの家族・知人情報とコンテンツ保有者情報とに基づいて、アクセス要求したユーザのコンテンツへのアクセスの許否を判定する。
【００３４】
アクセスの許否の判定は、例えば、アクセス要求されたコンテンツの保有者とアクセス要求したユーザとの関係が、一定の関係にある場合、ユーザのコンテンツへのアクセスを許可する。アクセス要求されたコンテンツの保有者とアクセス要求したユーザとの関係が一定の関係にある場合とは、あるユーザが所有するコンテンツを著作権法で許される「個人的に又は家庭内その他これに準ずる限られた範囲内」、すなわち、著作権法に基づく私的使用が許される範囲の関係である。より具体的には、アクセス要求されたコンテンツの保有者とアクセス要求したユーザとの関係が、家族、親しい友人である場合等である。上記のような一定の関係の条件は、アクセス許否判定部４が、全コンテンツに対してひとつの条件として記憶しておいても良く、また、コンテンツ毎に記憶していても良い。更に、その条件を外部の記憶媒体に記憶しておいても良い。
【００３５】
次に、上述の如く構成されたコンテンツアクセス管理システムの具体的な動作を説明する。尚、以下の説明において、家族・知人情報データベース１及びコンテンツ保有者情報データベース２に記憶されている内容が、図２及び図３に示されるものであるとし、アクセス要求されたコンテンツの保有者とアクセス要求したユーザとの関係が家族である場合に、コンテンツへのアクセスを許可するものとする。
【００３６】
まず、ユーザＡが電話番号「０9０-XXXX-０００１」を用いて、アクセス許否判定部４にコンテンツＣ３へのアクセス要求をしたとする。すると、アクセス許否判定部４は、コンテンツＣ３へのアクセス要求したユーザの特定を、アクセスユーザ認証部３に依頼する。
【００３７】
アクセスユーザ認証部３は、電話番号「０9０-XXXX-０００１」より、コンテンツＣ３のアクセス要求がユーザＡであることを特定する。
【００３８】
アクセス許否判定部３は、アクセス要求のあったコンテンツＣ３の保有者を取得する。コンテンツＣ３の保有者は、コンテンツ保有者情報データベース２からユーザＢであることが特定できる。続いて、アクセス許否判定部３は、家族・知人情報データベース１に基づいて、ユーザＡとユーザＢとの関係を判定する。ユーザＡとユーザＢとの関係は、ユーザＡ及びユーザＢの家族情報により、家族であると判定される。よって、ユーザＡによるコンテンツＣ３へのアクセスを許可する判定を行う。
【００３９】
このように、所定コンテンツへのアクセス許可の判定がされた場合、アクセス要求を行ったユーザはそのコンテンツにアクセスができるようになり、コンテンツの視聴や閲覧が可能となる。
【００４０】
以上の如く、契約情報に基づく家族・知人情報をアクセス許可の判定に用いることで、著作権法等で許される家族や親しい友人の範囲を特定することができる。
【００４１】
尚、本発明は、単なるコンテンツへのアクセス許可のみならず、コンテンツの共有にも利用できる。
【００４２】
以下、具体的な実施の形態を説明する。
【００４３】
＜第１の実施の形態＞
第１の実施の形態を説明する。
【００４４】
第１の実施の形態は本発明のコンテンツアクセス管理システムを、コンテンツを共有するコンテンツ共有システムに適用した例である。
【００４５】
図４は第１の実施の形態におけるコンテンツ共有システムの構成図である。
【００４６】
図４に示されるごとく、契約情報データベース１０１と、コンテンツ購入者データベース１０２と、アクセスユーザ認証部１０３と、コンテンツアクセス管理部１０４と、コンテンツアクセス鍵発行部１０５とを備える。
【００４７】
契約情報データベース１０１は、固定電話回線や携帯電話回線などの回線契約者の契約情報のデータベースであり、無料・割引サービスを実施するために、契約者の家族構成や友人などに関する家族・知人情報を契約情報の一部として保有している。尚、家族・知人情報は、上述した家族・知人情報データベース１の家族・知人情報と同様な情報である。
【００４８】
コンテンツ購入者データベース１０２は、ユーザが購入したコンテンツに関する情報を記憶している。コンテンツ購入者データベース１０２は、基本的には、上述したコンテンツ保有者情報データベース２と同様なものである。
【００４９】
アクセスユーザ認証部１０３は、コンテンツの視聴・閲覧要求（コンテンツの共有要求）を発行したユーザを、契約情報データベース１０１の契約情報を用いて、認証して特定する。アクセスユーザ認証部１０３は、基本的には、上述したアクセスユーザ認証部３と同様な構成である。
【００５０】
コンテンツアクセス管理部１０４は、ユーザからのコンテンツの視聴・閲覧要求を受け付け、また、その要求に対する回答をユーザに通知する。基本的には、上述したアクセス許否判定部４と同様な構成であるが、コンテンツアクセス管理部１０４は、コンテンツの視聴・閲覧（コンテンツの共有）の許可の判定がされると、コンテンツアクセス鍵発行部１０５にコンテンツのアクセスを可能とする鍵の発行を依頼する。
【００５１】
コンテンツアクセス鍵発行部１０５は、コンテンツアクセス管理部１０４により、コンテンツの視聴・閲覧（コンテンツの共有）の許可の判定がされると、許可されたコンテンツのアクセスを可能とする鍵を発行し、コンテンツアクセス管理部１０４に渡す。
【００５２】
次に、図４の構成図と図５のフローチャートとを参照して、第１の実施の形態の全体の動作について説明する。
【００５３】
まず、コンテンツアクセス管理部１０４は、ユーザからのコンテンツの視聴・閲覧要求を受信し、そのユーザの認証を行うため、視聴・閲覧要求を送付したユーザについての認証要求をアクセスユーザ認証部１０３に依頼する（ステップＳ１０１）。
【００５４】
アクセスユーザ認証部１０３は、コンテンツアクセス管理部１０４の要求に基づき、コンテンツの視聴・閲覧要求を発行したユーザを特定する（ステップＳ１０２）。
【００５５】
コンテンツアクセス管理部１０４は、ステップＳ１０２で特定されたユーザの家族構成などの共有可能ユーザ情報（家族・知人情報）を取得するため、契約情報データベース１０１に問い合わせを行い、契約情報データベース１０１から指定されたユーザ情報を基にユーザの家族構成などの共有可能ユーザ情報（家族・知人情報）を取得する（ステップＳ１０３）。
【００５６】
コンテンツアクセス管理部１０４は、ユーザが視聴・閲覧要求を行ったコンテンツが、ステップＳ１０３で取得した共有可能ユーザ情報（家族・知人情報）で特定されるユーザ（以下、共有可能ユーザと記載する）が購入済みのコンテンツに含まれるか否かを、コンテンツ購入者データベース１０２に問い合わせを行って確認する（ステップＳ１０４）。
【００５７】
コンテンツアクセス管理部１０４は、ステップＳ１０４で、視聴・閲覧要求を行ったコンテンツが、共有可能ユーザが購入したコンテンツに含まれると判断した場合、視聴・閲覧要求を行ったユーザは該当コンテンツを視聴・閲覧可能であると判断し、コンテンツアクセス鍵発行部１０５にアクセス鍵の発行を依頼する。そして、コンテンツアクセス鍵発行部１０５はコンテンツにアクセスするためのアクセス鍵を発行し、コンテンツアクセス管理部１０４は、アクセス鍵をクライアントに送付する（ステップＳ１０５）。
【００５８】
一方、コンテンツアクセス管理部１０４は、ステップＳ１０４で、視聴・閲覧要求を行ったコンテンツが、共有可能ユーザが購入したコンテンツに含まれていないと判断した場合、視聴・閲覧要求を行ったユーザは該当コンテンツを視聴・閲覧不可能であると判断し、コンテンツアクセス管理部１０４は、その旨をクライアントに通知する（ステップＳ１０６）。
【００５９】
尚、視聴・閲覧するコンテンツの格納場所であるが、例えば、コンテンツ事業者や通信事業者が提供するコンテンツサーバや、コンテンツの保有者（ユーザ）が管理するオンラインストレージ（オンラインストレージを提供するサービスを利用してもよい）等がある。コンテンツにアクセス要求したユーザは、それらのサーバやストレージから暗号化されたコンテンツをダウンロードしたり、ストリーミング配信されたりすることにより、コンテンツを取得する。そして、コンテンツアクセス管理部１０４から送信されてきたアクセス鍵を用いて、暗号化を解除してコンテンツを視聴する。
【００６０】
また、コンテンツを閲覧・視聴するユーザは、そのコンテンツを過去にダウンロードしたことがある端末（通常は、コンテンツを保有するユーザの端末）のストレージから、暗号化されたコンテンツを、ネットワークやＵＳＢメモリ等の記録媒体を介して、自己の端末のストレージに取得するようにしても良い。そして、コンテンツアクセス管理部１０４から送信されてきたアクセス鍵を用いて、暗号化を解除してコンテンツを視聴する。
【００６１】
第１の実施の形態の効果について説明する。
【００６２】
第１の実施の形態の効果は、コンテンツの視聴・閲覧を行った者を、契約情報を用いて、家族や親しい友人であるか否かを確認することで、家族や親しい友人が購入したコンテンツの視聴・閲覧を実現することができる。なぜなら、家族や親しい友人との間でコンテンツを視聴・閲覧する際に、従来では家族や親しい友人を特定する方法がなかったが、本実施の形態では契約情報を利用することで、家族や親しい友人を特定できるからである。
【００６３】
＜第２の実施の形態＞
図６は、第２の実施の形態におけるコンテンツ共有システムの構成図である。
【００６４】
図６を参照すると、第２の実施の形態におけるコンテンツ共有システムは、第１の実施の形態におけるコンテンツ共有システムの構成に加えて、コンテンツアクセスポリシ管理テーブル１０６を含む。
【００６５】
コンテンツアクセスポリシ管理データベース１０６は、コンテンツに関するアクセス制限を判断するアクセス制限ポリシを管理している。アクセス制限ポリシの具体例としては、例えば、コンテンツの共有可能人数に上限を設定する場合や、コンテンツの視聴・閲覧に年齢制限を設定する場合などがあるが、これに限られず、コンテンツ提供事業者又はコンテンツ保有者によって設定される利用制限などであれば良い。尚、コンテンツアクセスポリシ管理データベース１０６は、コンテンツ購入者データベース１０２と同一のデータベースで構成しても良い。
【００６６】
コンテンツアクセス管理部１０４は、コンテンツアクセスポリシ管理テーブル１０６を参照し、コンテンツの視聴・閲覧要求を発行したユーザが該当コンテンツへのアクセス制限を満たすものであるかを判断する。
【００６７】
また、アクセスユーザ認証部１０３は、第１の実施の形態の動作に加え、契約情報データベース１０１から、コンテンツに関するアクセス制限を判断するための情報として、認証対象者のユーザに関する属性、例えば、年齢や性別なども取得する。
【００６８】
次に図６の構成図と図７のフローチャート図を参照して、本実施の形態の全体の動作について説明する。
【００６９】
コンテンツアクセス管理部１０４は、ユーザからのコンテンツの視聴・閲覧要求を受信し、そのユーザの認証を行うため、視聴・閲覧要求を送付したユーザについての認証要求をアクセスユーザ認証部１０３に依頼する（ステップＳ２０１）。
【００７０】
アクセスユーザ認証部１０３は、コンテンツアクセス管理部１０４の要求に基づき、コンテンツの視聴・閲覧要求を発行したユーザを特定する(ステップＳ２０２)。
【００７１】
コンテンツアクセス管理部１０４は、ステップＳ２０２で特定されたユーザの家族構成などの共有可能ユーザ情報（家族・知人情報）を取得するため、契約情報データベース１０１に問い合わせを行う。そして、コンテンツアクセス管理部１０４は、契約情報データベース１０１から指定されたユーザ情報を基にユーザの家族構成などの共有可能ユーザ情報（家族・知人情報）を取得する（ステップＳ２０３）。
【００７２】
コンテンツアクセス管理部１０４は、ユーザが視聴・閲覧要求を行ったコンテンツが、ステップＳ２０３で取得した共有可能ユーザが購入済みのコンテンツに含まれるか否かを確認する（ステップＳ２０４）。
【００７３】
ステップＳ２０４で、視聴・閲覧要求を行ったコンテンツが、共有可能ユーザが購入したコンテンツに含まれると判断され、視聴・閲覧要求を行ったユーザは該当コンテンツを視聴・閲覧可能であると判断された場合、コンテンツアクセス管理部１０４は、視聴・閲覧要求を行ったユーザは該当コンテンツを視聴・閲覧することが可能か否か、コンテンツアクセスポリシ管理テーブル１０６を参照して確認する（ステップＳ２０５）。
【００７４】
コンテンツアクセス管理部１０４は、視聴・閲覧要求を行ったユーザが該当コンテンツを視聴・閲覧することが可能と判断した場合、コンテンツアクセス鍵発行部１０５を通じて、コンテンツにアクセスするための鍵を発行し、ユーザに通知する（ステップＳ２０６）。
【００７５】
一方、ステップＳ２０４で視聴・閲覧要求を行ったコンテンツが、共有可能ユーザが購入したコンテンツに含まれないと判断された場合、あるいは、ステップＳ２０５で、コンテンツアクセスポリシ管理テーブル１０６が管理するコンテンツアクセスポリシの条件下で、視聴・閲覧要求を行ったユーザが該当コンテンツを視聴・閲覧することが不可能と判断された場合、コンテンツアクセス管理部１０４は、その旨をユーザに通知する（ステップＳ２０７）。
【００７６】
第２の実施の形態の効果について説明する。
【００７７】
第２の実施の形態の効果は、第１の実施の形態に加えて、コンテンツを提供する事業者がコンテンツの共有可能人数に上限を設定する場合やコンテンツの視聴・閲覧に年齢制限を設定する場合等、上記条件に該当する場合、コンテンツの視聴・閲覧を許可しないサービスを実現することができる。なぜなら、ユーザ認証との連携により、これまでに視聴・閲覧を行ったユーザ数を特定することで共有可能人数をカウントしたり、契約情報からユーザの年齢情報を取得したりすることでコンテンツの視聴条件に合致しているかを判断できるためである。
【００７８】
以下、上述した実施の形態を更に具体的な実施例を説明する。
【実施例１】
【００７９】
実施例１を説明する。【００８０】
図８は、実施例１の構成図である。【００８１】
実施例１は、第２の実施の形態におけるコンテンツ共有システムＡ０１と、コンテンツ共有システムＡ０１を通じて、コンテンツの視聴・閲覧を行う端末Ａ０２、端末Ａ０３、端末Ａ０４、端末Ａ０５、端末Ａ０６、とそれらを結ぶキャリアネットワークＡ０７から構成される。尚、コンテンツ共有システムＡ０１は、キャリアネットワークＡ０７を提供するキャリア通信事業者が提供しているとする。【００８２】
図９、図１０及び図１１は、コンテンツ共有システムＡ０１が管理する情報テーブルであり、図９はユーザがキャリア通信事業者と結んでいる契約情報を含む契約情報テーブル、図１０はユーザが過去購入したコンテンツ情報を管理するコンテンツ購入情報テーブル、図１１はコンテンツを提供する事業者が販売するコンテンツに対して設定しているコンテンツの視聴年齢制限や最大共有人数などのアクセスポリシを管理するコンテンツアクセスポリシ管理テーブルである。【００８３】
本実施例では、図９にあるように、ユーザＡ、ユーザＢ、ユーザＣ、ユーザＤの４人のユーザを想定する。そして、ユーザＡは固定端末Ａ０２と携帯端末Ａ０３とを１台ずつ保有しており、ユーザＢは携帯端末Ａ０４を保有し、ユーザＣは携帯端末Ａ０５を保有し、ユーザＤは携帯端末Ａ０６を保有している。また、ユーザＡ、ユーザＢ、ユーザＣは家族関係にあるものとする。尚、キャリア通信事業者が家族関係を把握する方法としては、未成年のユーザに対する保護者情報や、家族や親しい友人との通話を割引するために収集された情報を利用する。また、コンテンツを複製し、視聴・閲覧できる範囲としては、著作権法による私的使用の範囲、すなわち、家族間でのコンテンツの視聴、閲覧を許可するものとする。【００８４】
以下、それぞれのユーザがコンテンツの視聴・閲覧要求を行う場合を説明する。【００８５】
（１）ユーザＡが、端末Ａ０２を通じてコンテンツＣＺの視聴・閲覧要求を行う場合。【００８６】
ユーザＡは、端末Ａ０２を通じて、コンテンツＣＺの視聴・閲覧要求をコンテンツ共有システムＡ０１に発信する。【００８７】
コンテンツ共有システムＡ０１は、図９の契約情報テーブルを用いて、固定網が持つ認証機能を利用してユーザＡからの要求であることを特定し、ユーザＡはユーザＢ及びユーザＣと家族であることを確認する。【００８８】
次に、コンテンツ共有システムＡ０１は、図１０のコンテンツ情報テーブルを用いて、ユーザＡ、ユーザＢ又はユーザＣがコンテンツＣＺを購入しているか確認し、ユーザＣがコンテンツＣＺを購入した実績があることを確認する。【００８９】
続いて、コンテンツ共有システムＡ０１は、図１１のコンテンツアクセスポリシ管理テーブルを参照し、コンテンツＣＺに課せられている条件を確認する。コンテンツＣＺには、視聴年齢制限は設定がないが、視聴期限が６ヶ月と設定されている。ユーザＡのコンテンツＣＺの視聴・閲覧要求の発行日が、ユーザＣがコンテンツＣＺを購入した２０１０年１０月１日から６ヶ月以内であれば、ユーザＡはコンテンツＣＺの視聴・閲覧は可能であると判断される。そして、視聴・閲覧は可能であると判断された場合には、コンテンツ共有システムＡ０１は、コンテンツＣＺへのアクセス鍵をユーザＡに発行する。ユーザＡは発行されたアクセス鍵を用いて、コンテンツＣＺにアクセスし、視聴・閲覧を行う。【００９０】
一方、ユーザＡのコンテンツＣＺの視聴・閲覧要求の発行日が、２０１１年４月１日以降（２０１０年１０月１日から６ヶ月経過後）であれば、コンテンツ共有システムＡ０１は、ユーザＡはコンテンツＣＺへの視聴・閲覧は出来ないことを、ユーザＡに通知する。【００９１】
（２）ユーザＢが、端末Ａ０４を通じて、コンテンツＣＡの視聴・閲覧要求を行う場合。【００９２】
まず、ユーザＢが、端末Ａ０４を通じて、コンテンツＣＡの視聴・閲覧要求を発行する。【００９３】
コンテンツ共有システムＡ０１は、図９の契約情報テーブルから、携帯網の認証機能を利用してユーザＢであることを特定し、ユーザＢはユーザＡ及びユーザＣと家族であることを確認する。【００９４】
コンテンツ共有システムＡ０１は、図１０のコンテンツ購入情報テーブルを参照し、コンテンツＣＡが家族であるユーザＡにより購入された実績があることを確認する。そして、図１１のコンテンツアクセスポリシ管理テーブルを参照し、コンテンツＣＡに課せられている条件を確認する。【００９５】
コンテンツＣＡには視聴年齢制限などの条件は課されていないため、コンテンツ共有システムＡ０１は、ユーザＢはコンテンツＣＡへの視聴・閲覧は可能であると判断し、コンテンツＣＡへのアクセス鍵をユーザＢに発行する。ユーザＢは発行されたアクセス鍵を用いて、コンテンツＣＡの視聴・閲覧が可能となる。【００９６】
（３）ユーザＢが、端末Ａ０４を通じて、コンテンツＣＢの視聴・閲覧要求を行う場合。【００９７】
ユーザＢが、端末Ａ０４を通じて、コンテンツＣＢの視聴・閲覧要求を発信する。【００９８】
コンテンツ共有システムＡ０１は、図９の契約情報テーブルから、携帯網の認証機能を利用してユーザＢであることを特定し、ユーザＢはユーザＡ及びユーザＣと家族であることを確認する。【００９９】
次に、コンテンツ共有システムＡ０１は、図１０のコンテンツ購入情報テーブルを参照し、コンテンツＣＢについては、ユーザＢを含めて家族（ユーザＡ及びユーザＣ）のいずれもが購入実績がないことを確認する。そして、コンテンツ共有システムＡ０１は、ユーザＢにコンテンツＣＢの視聴・閲覧が出来ないメッセージを発行する。【０１００】
（４）ユーザＢが、端末Ａ０４を通じて、コンテンツＣＣの視聴・閲覧要求を行う場合。【０１０１】
ユーザＢが端末Ａ０４を通じて、コンテンツＣＣの視聴・閲覧要求を行う。【０１０２】
コンテンツ共有システムＡ０１は、図９の契約情報テーブルから、携帯網の認証機能を利用してユーザＢであることを特定し、ユーザＢはユーザＡ及びユーザＣと家族であることを確認する。また、コンテンツ共有システムＡ０１は、図１０のコンテンツ購入情報テーブルから、ユーザＢの家族であるユーザＡがコンテンツＣＣの購入実績があることを確認する。【０１０３】
コンテンツ共有システムＡ０１は、図１１のコンテンツアクセスポリシ管理テーブルを参照し、コンテンツＣＣのアクセス条件を確認する。コンテンツＣＣは、ユーザＡが購入したものであり、端末Ａ０２あるいは端末Ａ０３のいずれの端末でも視聴可能であり、最大共有ユーザ数は２ユーザであることが確認される。ここで、現時点では、コンテンツＣＣの共有ユーザ数は、コンテンツＣＣを購入したユーザＡの１ユーザであると仮定する。【０１０４】
先に述べたようにコンテンツＣＣにアクセス可能なユーザとして、すでにユーザＡがカウントされているが、最大共有ユーザ数である２ユーザには到達していないため、コンテンツ共有システムＡ０１は、ユーザＢはコンテンツＣＣの視聴・閲覧が可能であると判断し、コンテンツＣＣへのアクセス鍵を発行する。ユーザＢは発行されたアクセス鍵を利用して、コンテンツＣＣの視聴・閲覧を行う。【０１０５】
（５）ユーザＣが、端末Ａ０５を通じて、コンテンツＣＡの視聴・閲覧要求を行う場合。【０１０６】
ユーザＣが、端末Ａ０５を通じて、コンテンツＣＡの視聴・閲覧要求を発信する。【０１０７】
コンテンツ共有システムＡ０１は、図９の契約情報テーブルから、携帯網の認証機能を利用してユーザＣであることを特定し、ユーザＣはユーザＡ及びユーザＢと家族であることを確認する。【０１０８】
次に、コンテンツ共有システムＡ０１は、図１０のコンテンツ購入情報テーブルを参照し、コンテンツＣＡが家族であるユーザＡにより購入された実績があることを確認する。【０１０９】
また、コンテンツ共有システムＡ０１は、図１１のコンテンツアクセスポリシ管理テーブルを参照し、コンテンツＣＡに課せられている条件を確認する。コンテンツＣＡには視聴年齢制限などの条件は課されていないため、コンテンツ共有システムＡ０１は、ユーザＣはコンテンツＣＡへの視聴・閲覧が可能であると判断し、コンテンツＣＡへのアクセス鍵をユーザＣに発行する。ユーザＣは発行されたアクセス鍵を用いて、コンテンツＣＡの視聴・閲覧が可能となる。【０１１０】
（６）ユーザＣが、端末Ａ０５を通じて、コンテンツＣＢの視聴・閲覧要求を行う場合。【０１１１】
ユーザＣが、端末Ａ０５を通じて、コンテンツＣＢの視聴・閲覧要求を発行する。【０１１２】
コンテンツ共有システムＡ０１は、図９の契約情報テーブルから、携帯網の認証機能を利用してユーザＣであることを特定し、ユーザＣはユーザＡ及びユーザＢと家族であることを確認する。【０１１３】
次に、コンテンツ共有システムＡ０１は、図１０のコンテンツ購入情報テーブルを参照し、コンテンツＣＢが家族であるユーザＢにより購入された実績があることを確認する。【０１１４】
また、コンテンツ共有システムＡ０１は、図１１のコンテンツアクセスポリシ管理テーブルを参照し、コンテンツＣＢに課せられている条件を確認する。コンテンツＣＢには視聴年齢制限が課せられており、コンテンツ共有システムＡ０１は、ユーザＣが図９の契約情報テーブルの年齢情報から、ユーザＣの年齢が１５歳であり、コンテンツＣＢに課せられている視聴年齢制限をクリアできないと判断し、ユーザＣにその旨を通知する。【０１１５】
（７）ユーザＣが、端末Ａ０５を通じて、コンテンツＣＣの視聴・閲覧要求を行う場合。【０１１６】
ユーザＣが、端末Ａ０５を通じて、コンテンツＣＣの視聴・閲覧要求を発行する。【０１１７】
コンテンツ共有システムＡ０１は、図９の契約情報テーブルから、認証機能を利用してユーザＣであることを特定し、ユーザＣはユーザＡ及びユーザＢと家族であることを確認する。【０１１８】
また、コンテンツ共有システムＡ０１は、図１０のコンテンツ購入情報テーブルを参照し、コンテンツＣＣが家族であるユーザＡにより購入された実績があることを確認する。続いて、コンテンツ共有システムＡ０１は、図１１のコンテンツアクセスポリシ管理テーブルを参照し、コンテンツＣＣに課せられている条件を確認し、最大共有ユーザ数に制限があることを確認する。コンテンツＣＣは、すでにユーザＡ及びユーザＢが視聴を行っているため、コンテンツ共有システムＡ０１は、最大共有ユーザ数であるユーザ数２に達していると判断し、ユーザＣはコンテンツＣＣの視聴・閲覧要求は出来ないと判断し、その旨をユーザＣに通知する。【０１１９】
（８）ユーザＤが、端末Ａ０６を通じて、コンテンツＣＡの視聴・閲覧要求を行う場合。【０１２０】
ユーザＤが、端末Ａ０６を通じて、コンテンツＣＡの視聴・閲覧要求を発行する。【０１２１】
コンテンツ共有システムＡ０１は、図９の契約情報テーブルから、携帯網の認証機能を利用してユーザＤであることを特定し、ユーザＤの家族が登録されていないことを確認する。【０１２２】
また、コンテンツ共有システムＡ０１は、図１０のコンテンツ購入情報テーブルを参照し、ユーザＤが過去にコンテンツＣＡの購入実績があるかを確認し、その実績がないことから、ユーザＤはコンテンツＣＡに視聴・閲覧できないと判断し、その旨を通知する。【０１２３】
上記実施例の説明では、ユーザが個々のコンテンツに視聴・閲覧要求を発行した場合の処理を記述したが、例えば、ユーザがポータルサイトにアクセスした場合に、該当するユーザがアクセス可能なコンテンツを同様の手順で確認し、その一覧を表示するといったことも可能である。【０１２４】
また、今回の実施例における図９に記載の契約情報テーブルとして、家族情報が含まれていることを仮定しているが、親しい友人との通話を割引く等のサービスにより、親しい友人に関する情報が含まれていてもよい。図９に記載の契約情報テーブルは、契約情報の更新が行われた際、その更新内容に基づいて変更されてもよい。【０１２５】
また、図１１に記載のコンテンツアクセスポリシ管理テーブルに記載されているアクセスポリシは、コンテンツを提供する事業者が設定することを想定した記述となっているが、例えば、ユーザが独自に視聴制限を設けたい場合にはその条件を追加することも可能である。【０１２６】
尚、視聴・閲覧するコンテンツの格納場所であるが、上述の例では、コンテンツ共有システムＡ０１がコンテンツサーバを有し、コンテンツの視聴・閲覧が可能な場合、アクセス鍵とともに、コンテンツを配信する。また、これに限られず、コンテンツの保有者（ユーザ）が管理するオンラインストレージ（オンラインストレージを提供するサービスを利用してもよい）からコンテンツをダウンロードしても良い。【０１２７】
そして、コンテンツにアクセス要求したユーザは、それらのサーバやストレージから暗号化されたコンテンツをダウンロードしたり、ストリーミング配信されたりすることにより、コンテンツを取得する。そして、コンテンツアクセス管理部１０４から送信されてきたアクセス鍵を用いて、暗号化を解除してコンテンツを視聴する。
【実施例２】
【０１２８】
実施例１では、コンテンツの視聴・閲覧要求を発行するユーザを特定し、その視聴・閲覧要求の可否を判断するコンテンツ共有システムをキャリア通信事業者が一括して提供することを想定した。【０１２９】
実施例２では、キャリア通信事業者がユーザの認証および契約情報テーブルを管理し、視聴・閲覧要求を行ったユーザのコンテンツのアクセス可否判断をコンテンツ提供事業者が行う場合を想定する。【０１３０】
図１２は実施例２の構成図である。実施例２は、コンテンツ共有システムＢ０１と、コンテンツ共有システムＢ０１を通じてコンテンツの視聴・閲覧を行う端末Ｂ０４と、両者を結ぶキャリアネットワークＢ０５から構成される。【０１３１】
コンテンツ共有システムＢ０１は、コンテンツ提供事業者のコンテンツ管理システムＢ０２と、キャリア通信事業者のテレコムシステムＢ０３とを有する。【０１３２】
また、コンテンツ管理システムＢ０２は、第１の実施の形態におけるコンテンツ購入者データベース１０２と、コンテンツアクセス管理部１０４と、コンテンツアクセス鍵発行部１０５とを備える。また、テレコムシステムＢ０３は、第１の実施の形態における契約情報データベース１０１と、アクセスユーザ認証部１０３とを備える。【０１３３】
端末Ｂ０４から特定のコンテンツへの視聴・閲覧要求がコンテンツ共有システムＢ０１に発行された場合、その視聴・閲覧要求をテレコムシステムＢ０３が受け取る。テレコムシステムＢ０３は、視聴・閲覧要求を発行したユーザを特定し、また、その契約情報をもちいて、家族・知人情報を抽出し、ユーザ情報および家族・知人情報を視聴・閲覧要求に付与して、コンテンツ管理システムＢ０２に転送する。【０１３４】
コンテンツ管理システムＢ０２は、受信した視聴・閲覧要求に付与されているユーザ情報および家族・知人情報を利用し、視聴・閲覧要求されているコンテンツへのアクセス可否を判断し、その結果を端末Ｂ０４に通知する。【０１３５】
尚、図１２のコンテンツ管理システムＢ０２は一つしか記載されていないが、異なるコンテンツ管理システムが複数存在してもよい。また、テレコムシステムＢ０３からコンテンツ管理システムＢ０２にユーザ情報および家族・知人情報を付与して転送する場合、テレコムシステムＢ０３が保有する契約情報をそのまま付与するのではなく、コンテンツ管理システムＢ０２向けの特別なユーザ識別子に変換してもよい。【０１３６】
尚、視聴・閲覧するコンテンツの格納場所であるが、上述の例では、コンテンツ管理システムＢ０２がコンテンツサーバを有し、コンテンツの視聴・閲覧が可能な場合、コンテンツを配信する。また、これに限られず、コンテンツの保有者（ユーザ）が管理するオンラインストレージ（オンラインストレージを提供するサービスを利用してもよい）からコンテンツをダウンロードしても良い。【０１３７】
そして、コンテンツにアクセス要求したユーザは、それらのサーバやストレージから暗号化されたコンテンツをダウンロードしたり、ストリーミング配信されたりすることにより、コンテンツを取得する。そして、コンテンツアクセス管理部１０４から送信されてきたアクセス鍵を用いて、暗号化を解除してコンテンツを視聴する。
【実施例３】
【０１３８】
実施例３は、キャリア通信事業者がユーザの認証および契約情報テーブルを管理し、視聴・閲覧要求を行ったユーザのコンテンツのアクセス可否判断をコンテンツ提供事業者が行うことは実施例２と同様であるが、コンテンツの視聴・閲覧を受信するのがコンテンツ提供事業者であり、コンテンツの視聴・閲覧を受信したコンテンツ提供事業者が、ユーザの認証情報、家族・知人情報等を、キャリア通信事業者から提供してもらう例を説明する。【０１３９】
図１３は、実施例３の構成図である。実施例３は、コンテンツ共有システムＣ０１と、コンテンツ共有システムＣ０１を通じてコンテンツの視聴・閲覧を行う端末Ｃ０４と、両者を結ぶキャリアネットワークＣ０５から構成される。【０１４０】
コンテンツ共有システムＣ０１は、コンテンツ提供事業者のコンテンツ管理システムＣ０２と、キャリア通信事業者のテレコムシステムＣ０３とを有する。【０１４１】
また、コンテンツ管理システムＣ０２は、第１の実施の形態におけるコンテンツ購入者データベース１０２と、コンテンツアクセス管理部１０４と、コンテンツアクセス鍵発行部１０５とを備える。また、テレコムシステムＣ０３は、第１の実施の形態における契約情報データベース１０１と、アクセスユーザ認証部１０３とを備える。【０１４２】
端末Ｃ０４から特定のコンテンツへの視聴・閲覧要求がコンテンツ共有システムＣ０１に発行された場合、その視聴・閲覧要求をコンテンツ管理システムＣ０２が受け取る。コンテンツ管理システムＣ０２は、視聴・閲覧要求に含まれるユーザ情報を抽出し、テレコムシステムＣ０３に家族・知人情報の提供を依頼する。【０１４３】
テレコムシステムＣ０３は、コンテンツ管理システムＣ０２からの要求を受取り、契約情報データベース１０１の契約情報をもちいて家族・知人情報を抽出し、その家族・知人情報をコンテンツ管理システムＣ０２に提供する。【０１４４】
コンテンツ管理システムＣ０２は、テレコムシステムＣ０３から提供された家族・知人情報を利用し、視聴・閲覧要求されているコンテンツへのアクセス可否を判断し、その結果を端末Ｃ０４に通知する。【０１４５】
尚、視聴・閲覧するコンテンツの格納場所であるが、上述の例では、コンテンツ管理システムＢ０２がコンテンツサーバを有し、コンテンツの視聴・閲覧が可能な場合、コンテンツを配信する。また、これに限られず、コンテンツの保有者（ユーザ）が管理するオンラインストレージ（オンラインストレージを提供するサービスを利用してもよい）からコンテンツをダウンロードしても良い。【０１４６】
そして、コンテンツにアクセス要求したユーザは、それらのサーバやストレージから暗号化されたコンテンツをダウンロードしたり、ストリーミング配信されたりすることにより、コンテンツを取得する。そして、コンテンツアクセス管理部１０４から送信されてきたアクセス鍵を用いて、暗号化を解除してコンテンツを視聴する。【０１４７】
また、図１３のコンテンツ管理システムＣ０２は一つしか記載されていないが、異なるコンテンツ管理システムが複数存在してもよい。また、テレコムシステムＣ０３からコンテンツ管理システムＣ０２に家族・知人情報を提供する場合、テレコムシステムＣ０３が保有する契約情報をそのまま付与するのではなく、コンテンツ管理システムＣ０２向けの特別なユーザ識別子に変換してもよい。【０１４８】
また、上述した説明からも明らかなように、各部をハードウェアで構成することも可能であるが、コンピュータプログラムにより実現することも可能である。この場合、プログラムメモリに格納されているプログラムで動作するプロセッサによって、上述した各実施の形態と同様の機能、動作を実現させる。また、上述した実施の形態の一部の機能のみをコンピュータプログラムにより実現することも可能である。【０１４９】
尚、以下に付記を記載する。【０１５０】
［付記１］  通信事業者の契約者に関する契約情報に基づく家族、知人に関する家族・知人情報を少なくとも記憶する家族・知人情報データベースと、
コンテンツの保有者の保有者情報が記憶されたコンテンツ保有者情報データベースと、
所定のコンテンツのアクセス要求を行ったユーザを特定するアクセスユーザ認証部と、
前記コンテンツ所有者情報データベースからアクセス要求されたコンテンツのコンテンツ保有者情報と前記特定されたユーザの家族・知人情報とに基づいて、前記ユーザのコンテンツへのアクセスの許否を判定するアクセス許否判定部と
を有するコンテンツアクセス管理システム。【０１５１】
［付記２］  前記アクセス許否判定部は、コンテンツ保有者情報と前記特定されたユーザの家族・知人情報とに基づいて、前記アクセス要求されたコンテンツの保有者と前記特定されたユーザとの関係が予め定められた一定の関係にある場合、前記ユーザのコンテンツへのアクセスを許可する
付記１に記載のコンテンツアクセス管理システム。【０１５２】
［付記３］  前記一定の関係が、著作権法に基づく私的使用が許される範囲の関係である
付記２に記載のコンテンツアクセス管理システム。【０１５３】
［付記４］  前記アクセス許否判定部は、コンテンツへのアクセス制限を管理するアクセス管理ポリシを記憶し、前記家族・知人情報に基づく判定に加えて、前記特定されたユーザのコンテンツへのアクセスが前記アクセス管理ポリシを満たすものであるかを判定し、前記ユーザのコンテンツへのアクセスの許否を判定する
付記１から付記３のいずれかに記載のコンテンツアクセス管理システム。【０１５４】
［付記５］  前記アクセス管理ポリシは、コンテンツの利用者数による制限、コンテンツの視聴許可年齢による年齢制限、コンテンツ提供事業者又はコンテンツ保有者によって設定される利用制限の少なくともひとつである
付記４に記載のコンテンツアクセス管理システム。【０１５５】
［付記６］  前記アクセス許否判定部により、前記所定のコンテンツへのアクセスが許可された場合、前記所定のコンテンツのアクセス鍵を発行するアクセス鍵発行部を有する
付記１から付記５のいずれかに記載のコンテンツアクセス管理システム。【０１５６】
［付記７］  所定のコンテンツのアクセス要求に応答し、前記アクセス要求を行ったユーザのユーザ情報と、前記アクセス要求を行ったユーザの通信事業者の契約者に関する契約情報に基づく家族、知人に関する家族・知人情報とを取得し、前記ユーザ情報と前記ユーザの家族・知人情報とに基づいて、前記ユーザのコンテンツへのアクセスの許否を判定するアクセス許否判定部を有するコンテンツアクセス管理サーバ。【０１５７】
［付記８］  前記アクセス許否判定部は、前記コンテンツ保有者情報と前記特定されたユーザの家族・知人情報とに基づいて、前記アクセス要求されたコンテンツの保有者と前記ユーザとの関係が予め定められた一定の関係にある場合、前記ユーザのコンテンツへのアクセスを許可する
付記７に記載のコンテンツアクセス管理サーバ。【０１５８】
［付記９］  前記一定の関係が、著作権法に基づく私的使用が許される範囲の関係である
付記８に記載のコンテンツアクセス管理サーバ。【０１５９】
［付記１０］  前記家族・知人情報に基づく判定に加えて、前記ユーザのコンテンツへのアクセスが、コンテンツへのアクセス制限を管理するアクセス管理ポリシを満たすものであるかを判定し、前記ユーザのコンテンツへのアクセスの許否を判定する
付記７から９のいずれかに記載のコンテンツアクセス管理サーバ。【０１６０】
［付記１１］  前記アクセス管理ポリシは、コンテンツの利用者数による制限、コンテンツの視聴許可年齢による年齢制限、コンテンツ提供事業者又はコンテンツ保有者によって設定される利用制限の少なくともひとつである
付記１０に記載のコンテンツアクセス管理サーバ。【０１６１】
［付記１２］  前記アクセス許否判定部により、前記所定のコンテンツへのアクセスが許可された場合、前記所定のコンテンツのアクセス鍵を発行するアクセス鍵発行部を有する
付記７から付記１１のいずれかに記載のコンテンツアクセス管理サーバ。【０１６２】
［付記１３］  所定のコンテンツのアクセス要求を行ったユーザを特定し、
コンテンツの保有者の保有者情報が記憶されたコンテンツ保有者情報データベースから、前記アクセス要求されたコンテンツのコンテンツ保有者情報を取得し、
通信事業者の契約者に関する契約情報に基づく家族、知人に関する家族・知人情報を少なくとも記憶する家族・知人情報データベースから、前記特定されたユーザの家族・知人情報を取得し、
前記取得したコンテンツ保有者情報と前記取得した家族・知人情報とに基づいて、前記ユーザのコンテンツへのアクセスの許否を判定する
コンテンツアクセス管理方法。【０１６３】
［付記１４］  前記取得したコンテンツ保有者情報と前記取得した家族・知人情報とに基づいて、前記アクセス要求されたコンテンツの保有者と前記特定されたユーザとの関係が予め定められた一定の関係にある場合、前記ユーザのコンテンツへのアクセスを許可する
付記１３に記載のコンテンツアクセス管理方法。【０１６４】
［付記１５］  前記一定の関係が、著作権法に基づく私的使用が許される範囲の関係である
付記１４に記載のコンテンツアクセス管理方法。【０１６５】
［付記１６］  前記家族・知人情報に基づく判定に加えて、前記ユーザのコンテンツへのアクセスが、コンテンツへのアクセス制限を管理するアクセス管理ポリシを満たすものであるかを判定し、前記ユーザのコンテンツへのアクセスの許否を判定する
付記１３から１５のいずれかに記載のコンテンツアクセス管理方法。【０１６６】
［付記１７］  前記アクセス管理ポリシは、コンテンツの利用者数による制限、コンテンツの視聴許可年齢による年齢制限、コンテンツ提供事業者又はコンテンツ保有者によって設定される利用制限の少なくともひとつである
付記１６に記載のコンテンツアクセス管理方法。【０１６７】
［付記１８］  前記所定のコンテンツへのアクセスが許可された場合、前記所定のコンテンツのアクセス鍵を発行する
付記１３から付記１７のいずれかに記載のコンテンツアクセス管理方法。【０１６８】
［付記１９］  所定のコンテンツのアクセス要求に応答し、前記アクセス要求を行ったユーザのユーザ情報と、前記アクセス要求を行ったユーザの通信事業者の契約者に関する契約情報に基づく家族、知人に関する家族・知人情報とを取得し、前記ユーザ情報と前記ユーザの家族・知人情報とに基づいて、前記ユーザのコンテンツへのアクセスの許否を判定する判定処理を情報処理装置に実行させるプログラム。【０１６９】
［付記２０］  前記判定処理は、前記コンテンツ保有者情報と前記特定されたユーザの家族・知人情報とに基づいて、前記アクセス要求されたコンテンツの保有者と前記ユーザとの関係が予め定められた一定の関係にある場合、前記ユーザのコンテンツへのアクセスを許可する
付記１９に記載のプログラム。【０１７０】
［付記２１］  前記一定の関係が、著作権法に基づく私的使用が許される範囲の関係である
付記２０に記載のプログラム。【０１７１】
［付記２２］  前記判定処理は、前記家族・知人情報に基づく判定に加えて、前記ユーザのコンテンツへのアクセスが、コンテンツへのアクセス制限を管理するアクセス管理ポリシを満たすものであるかを判定し、前記ユーザのコンテンツへのアクセスの許否を判定する
付記１９から付記２１のいずれかに記載のプログラム。【０１７２】
［付記２３］  前記アクセス管理ポリシは、コンテンツの利用者数による制限、コンテンツの視聴許可年齢による年齢制限、コンテンツ提供事業者又はコンテンツ保有者によって設定される利用制限の少なくともひとつである
付記２２に記載のプログラム。【０１７３】
［付記２４］  前記所定のコンテンツへのアクセスが許可された場合、前記所定のコンテンツのアクセス鍵を発行するアクセス鍵発行処理を情報処理装置に実行させる
付記１９から付記２３のいずれかに記載のプログラム。【０１７４】
以上好ましい実施の形態及び実施例をあげて本発明を説明したが、本発明は必ずしも上記実施の形態及び実施例に限定されるものではなく、その技術的思想の範囲内において様々に変形し実施することが出来る。【０１７５】
本出願は、２０１１年２月３日に出願された日本出願特願２０１１−２１５２９号を基礎とする優先権を主張し、その開示の全てをここに取り込む。
【符号の説明】
【０１７６】
１                家族・知人情報データベース
２                コンテンツ保有者情報データベース
３                アクセスユーザ認証部
４                アクセス許否判定部
１０１，２０１    契約情報データベース
１０２，２０２    コンテンツ購入者データベース
１０３，２０３    アクセスユーザ認証部
１０４，２０４    コンテンツアクセス管理部
１０５，２０５    コンテンツアクセス鍵発行部
１０６            コンテンツアクセスポリシ管理データベース
【図１】
2012105599.tif 000003
【図２】
2012105599.tif 000004
【図３】
2012105599.tif 000005
【図４】
2012105599.tif 000006
【図５】
2012105599.tif 000007
【図６】
2012105599.tif 000008
【図７】
2012105599.tif 000009
【図８】
2012105599.tif 000010
【図９】
2012105599.tif 000011
【図１０】
2012105599.tif 000012
【図１１】
2012105599.tif 000013
【図１２】
2012105599.tif 000014
【図１３】
2012105599.tif 000015
【図１４】
2012105599.tif 000016
【国際調査報告】
2012105599.tif 000017
2012105599.tif 000018
2012105599.tif 000019
2012105599.tif 000020